(57)【要約】【課題】ゴルフバックから離脱させる必要なく、かつ、クラブヘッドからの取り外しおよびクラブヘッドへの装着がともに簡単な動作で済むコンパクトなゴルフクラブヘッドカバー装置を提供する。【解決手段】ゴルフクラブヘッドカバー装置２は、ヘッドカバー８がゴルフクラブヘッド３０を収納した状態でゴルフバッグ４内に装着される。ユーザは、ゴルフクラブの使用時に、ヘッドカバー８の下側の直線部材１０を、クラブシャフトに沿って引き下げることにより、クラブヘッドがヘッドカバー８のバックトップ片（蓋部）１４の内面に当接してバックトップ片１４を押し上げて開放位置へ立ち上がらせる。これにより、ヘッドカバー８からゴルフクラブヘッド３０が露出し、ゴルフクラブを取り出すことができる。このとき、ゴルフクラブヘッドカバー装置２はゴルフバッグ４内に残り、バックトップ片１４は立ち上がり開放位置に維持され、ゴルフクラブの再挿入を待機する。【選択図】図２
2016131893.tif 000002
【特許請求の範囲】
【請求項１】
ゴルフクラブヘッドカバーと、
直線部材とを備え、
前記直線部材は、前記ゴルフクラブヘッドカバーに固定された近端部と先端部とを有し、
ゴルフクラブヘッドカバー装置は使用可能な状態でゴルフバッグ内に載置される
ゴルフクラブヘッドカバー装置。
【請求項２】
前記ゴルフクラブヘッドカバーは、ゴルフクラブヘッドを収容する大きさの、互いに部分的に分離可能なバックトップ片と湾曲した本体部とを有し、
前記バックトップ片は、自身を直立方向に維持するための残留力を有する
請求項１に記載のゴルフクラブヘッドカバー装置。
【請求項３】
前記開閉可能なゴルフクラブヘッドカバーに閉鎖力を与える手段を有する請求項２に記載のゴルフクラブヘッドカバー装置。
【請求項４】
前記閉鎖力を与える手段は磁気吸着によるものである請求項３に記載のゴルフクラブヘッドカバー装置。
【請求項５】
前記閉鎖力を与える手段はフック・ループファスナー（面ファスナー）である請求項３に記載のゴルフクラブヘッドカバー装置。
【請求項６】
前記クラブヘッドカバーは開放位置と閉鎖位置とを有し、前記クラブヘッドカバーが前記開放位置にあるとき前記バックトップ片は垂直方向に位置し、前記閉鎖位置にあるとき前記バックトップ片は水平方向に位置する請求項２〜５のいずれかに記載のゴルフクラブヘッドカバー装置。
【請求項７】
前記湾曲した本体部は右サイド片、左サイド片、中央片、およびボトム片を有し、
前記中央片は前記右サイド片に隣接するとともに、前記左サイド片に隣接し、
前記ボトム片は前記右サイド片、前記左サイド片、および前記中央片に隣接する
請求項２〜６のいずれかに記載のゴルフクラブヘッドカバー装置。
【請求項８】
前記直線部材は剛性の管状部材により構成される請求項１〜７のいずれかに記載のゴルフクラブヘッドカバー装置。
【請求項９】
前記直線状部材の前記先端部は鋭角に切断されている請求項１〜８のいずれかに記載のゴルフクラブヘッドカバー装置。
【請求項１０】
前記バックトップ片に付加されたバネ片をさらに備えた請求項１〜９のいずれかに記載のゴルフクラブヘッドカバー装置。
【請求項１１】
ゴルフクラブヘッドを収容するヘッドカバーと、
前記ヘッドカバーの端部に接続された直線部材とを備え、
前記ヘッドカバーは、
前記端部に設けられたゴルフクラブシャフトが貫通する第１の開口と、前記第１の開口に対向する位置に設けられた前記ゴルフクラブヘッドが通過するサイズの第２の開口と有する本体部と、
前記第２の開口を開閉可能な蓋部と、
所定の閉鎖力により前記蓋部を閉鎖する手段とにより構成され、
前記直線部材は、前記ゴルフクラブヘッドが貫通する管状部を有する
ゴルフクラブヘッドカバー装置。
【発明の詳細な説明】
【技術分野】
【０００１】
本発明は、ゴルフクラブのヘッドを保護するためのゴルフクラブヘッドカバー装置に関する。
【背景技術】
【０００２】
ゴルフ競技に用いられるゴルフクラブは、比較的高価であり、一般に、そのヘッドを保護するためにゴルフクラブヘッドカバーが用いられる。通常、競技中には複数の種類のゴルフクラブが用いられ、それぞれにヘッドカバーが装着される。
【０００３】
競技時にユーザは、使用するクラブを選択する度に、ヘッドカバーを取り外し、使用後にまた装着するという作業を行うことになる。
【発明の概要】
【発明が解決しようとする課題】
【０００４】
したがって、クラブヘッドからの取り外しおよびクラブヘッドへの装着がともに簡単な動作で済むコンパクトなゴルフクラブヘッドカバー装置の実現が望まれる。
【課題を解決するための手段】
【０００５】
上記課題を解決するための本発明によるゴルフクラブヘッドカバー装置は、ゴルフクラブヘッドカバーと、直線部材とを備え、前記直線部材は、ゴルフクラブヘッドカバーに固定された近端部と先端部とを有し、ゴルフクラブヘッドカバー装置は使用可能な状態でゴルフバッグ内に載置されるものである。
【０００６】
本発明によるゴルフクラブヘッドカバー装置は、その実施形態の基本的な動作において、ゴルフクラブヘッドカバーがゴルフクラブヘッドを収納し、蓋部が閉鎖された状態で、ゴルフバッグ内に装着される。ユーザは、ゴルフクラブの使用時に、ヘッドカバーの下側の直線部材を、クラブシャフトに沿って前記ゴルフクラブの把持部の方向へ引き下げることにより、クラブヘッドがヘッドカバーの蓋部の内面に当接し所定の閉鎖力に抗して蓋部を押し上げて開放位置へ立ち上がらせる。これにより、ヘッドカバーからゴルフクラブヘッドが露出し、ユーザはゴルフクラブを取り出すことができる。このとき、ゴルフクラブヘッドカバー装置はゴルフバッグ内に残り、蓋部は立ち上がり開放位置に維持されたまま、ゴルフクラブの再挿入を待機する。
【発明の効果】
【０００７】
本発明によれば、直線部材をゴルフバッグに差し込んで載置した状態で、ゴルフバックから離脱させる必要なく、かつ、クラブヘッドからの取り外しおよびクラブヘッドへの装着がともに簡単な動作で済むコンパクトなゴルフクラブヘッドカバー装置を提供することができる。
【図面の簡単な説明】
【０００８】
【図１】本発明の実施形態に係るゴルフクラブヘッドカバー装置が装着されたゴルフクラブがゴルフバッグ内に載置された状態を示す斜視図である。
【図２】ゴルフクラブヘッドカバー装置のヘッドカバーが開放され、ゴルフクラブのヘッドが露出した状態を示す、図１に対応する斜視図である。
【図３】本発明の実施形態に係るゴルフクラブヘッドカバー装置の正面図である。
【図４】本発明の実施形態に係るゴルフクラブヘッドカバー装置の背面図である。
【図５】本発明の実施形態に係るゴルフクラブヘッドカバー装置の左側面である。
【図６】本発明の実施形態に係るゴルフクラブヘッドカバー装置の平面図である。
【図７】本発明の実施形態に係るゴルフクラブヘッドカバー装置の底面図である。
【図８】本発明の実施形態に係る、ヘッドカバーが閉鎖された状態のゴルフクラブヘッドカバー装置の斜視図である。
【図９】本発明の実施形態に係る、ヘッドカバーが開放された状態のゴルフクラブヘッドカバー装置の斜視図である。
【発明を実施するための形態】
【０００９】
以下、本発明の実施の形態について図面を参照しながら詳細に説明する。
【００１０】
図１は、本発明の実施形態に係るゴルフクラブヘッドカバー装置３が装着されたゴルフクラブがゴルフバッグ４内に載置された状態を示す。図２は、このゴルフクラブヘッドカバー装置のヘッドカバー８が開放され、ゴルフクラブのヘッド３０が露出した状態を示す。図１および図２において、ゴルフバッグ４とゴルフクラブは破線で示している。
【００１１】
図３〜図７は、それぞれ、本発明の実施形態に係るゴルフクラブヘッドカバー装置の正面図、背面図、左側面図、平面図、および底面図を示す。右側面図は左側面図と対称に表れるため省略している。
【００１２】
図８は、本発明の実施形態に係る、ヘッドカバー８が閉鎖された状態のゴルフクラブヘッドカバー装置２の斜視図である。図９は、ヘッドカバー８が開放された状態のゴルフクラブヘッドカバー装置２の斜視図である。
【００１３】
本実施の形態によるゴルフクラブヘッドカバー装置２は、ゴルフクラブヘッドカバー８と、直線部材１０とを備える。直線部材１０は、ヘッドカバー８に固定された近端部と先端部とを有する。このゴルフクラブヘッドカバー装置２は使用可能な状態でゴルフバッグ４内に載置される。
【００１４】
図１〜図４に良く現れるように、ヘッドカバー８は、バックトップ片１４、左右のサイド片１６，１８、中央片２０、およびボトム片２２からなる可撓性の片(panels）が好適には縫い合わせ等により結合されて構成される。左サイド片１６、右サイド片１８、中央片２０、およびボトム片２２により、湾曲した本体部が構成される。この本体部とバックトップ片１４によりヘッドカバー８が構成される。ヘッドカバー８のバックトップ片１４と他の部分の間に開口２７（図９）が形成され、バックトップ片１４の一部がこの開口２７を塞ぐ蓋部を構成する。
【００１５】
クラブヘッドカバー８の底部において、ボトム片２２、左サイド片１６、右サイド片１８およびバックトップ片１４の下端は、ゴルフクラブシャフトが通過可能な円形の開口２４を形成するよう接続されている。ヘッドカバー８の下端の開口２４の部分に直線部材１０の上端が固定されている。
【００１６】
直線部材１０は円筒管等の剛性部材（剛性の管状部材）により構成される。図８に良く現れるように、直線部材１０は、下側の先端部１２が鋭角に切断されている。鋭角の切断によって、従来のゴルフバッグ４の分割された内部区画内にゴルフクラブヘッドカバー装置２を容易に挿入することができる。直線部材１０の内径は把持部を含むゴルフクラブのシャフトの外形より大きい。
【００１７】
ユーザは、最初の使用時に、図１に示すようにゴルフクラブヘッドカバー装置２をゴルフバッグに載置した状態で、図９に示すとおりバックトップ片１４を直立させるようにヘッドカバーを開放する。この状態で、ゴルフクラブは、ヘッドカバー８のバックトップ片１４と他の部分の間に形成された開口２７（図９）にシャフト側から挿入される（図２参照）。
【００１８】
ゴルフバッグ４へのゴルフクラブの挿入完了後に、そのゴルフクラブヘッド３０がヘッドカバー８に収容された状態で、バックトップ片１４が下方へ倒されて、ヘッドカバー８の上唇部２８と下唇部２６とを合わせるようにヘッドカバー８の開口２７が閉鎖される（図１，図８参照）。
【００１９】
その後、ゴルフクラブを使用する際に、ゴルフクラブヘッドカバー装置２が装着されたゴルフクラブがゴルフバッグ４内に載置された状態のまま、ユーザが直線部材１０を掴んで下方に引き下げる。この動作により、直線部材１０がさらにゴルフバッグ内へ下がり、ゴルフクラブのヘッド３０がバックトップ片１４の内面３２に当接してバックトップ片１４を突き上げその閉鎖力に打ち勝つ。その結果、図２に示すように、バックトップ片１４が直立した開放位置へ移動してヘッドカバー８が開き、クラブヘッド３０が開口２７の上部に現れる。
【００２０】
ゴルフクラブヘッドカバー装置２はゴルフバッグ４に載置されたまま、バックトップ片１４は、図９等に示すように、ヘッドカバーの残留力により直立した“開放”位置に維持され、ゴルフクラブの再挿入を待機する。バックトップ片１４を直立位置へ移動させる残留力を得る方法の一つは、その素材および厚さを選定することである。
【００２１】
ゴルフクラブは、その使用後に、ヘッドカバー８の開口２７からゴルフバッグ４の下端まで挿入される。その後、ボトム片２２の内面がゴルフクラブに当接するまで、ゴルフクラブに対してユーザが直線部材１０を掴んで引き上げる。ボトム片２２の内面がゴルフクラブに当接する動作によりバックトップ片１４が前方へ傾斜し、閉鎖力が残留力を超える点に達し、ヘッドカバー８が閉じられる。上記閉鎖力は、上唇部２８と下唇部２６の間の磁気吸着、または、フック・ループファスナー（面ファスナー）を利用することにより実現されうる。
【００２２】
上記残留力は、バックトップ片１４に内装されたバネ片（図示せず）により得てもよい。このバネ片は、ゴルフクラブがこのヘッドカバー装置２外にあるとき、バックトップ片１４を直立させるよう付勢するものであり、薄い直線状の金属片で形成することができる。その幅および厚さは、バックトップ片を真っ直ぐに保持するに十分な残留力を提供するが、このヘッドカバー装置２の閉鎖力に打ち勝つほどの力はない程度に、最適化されたものである。
【００２３】
他のバネ片として、長手方向に湾曲変形可能な直線状の金属薄板で、その伸長状態を維持するように幅方向に若干湾曲した形状を有し、先端が前方へ付勢されたときにはヘッドカバー装置前方へ湾曲するような部材であってもよい。このような素材は金属製の巻き尺に慣用されているものを利用することができる。この「他のバネ片」は残留力と閉鎖力の両方を発生する。
【００２４】
また、本発明のゴルフクラブヘッドカバー装置２は、他の見地によれば、ゴルフクラブヘッド３０を収容するヘッドカバー８と、このヘッドカバー８の端部に接続された直線部材１０とを備え、ヘッドカバー８は、前記端部に設けられたゴルフクラブシャフトが貫通する第１の開口２４と、この第１の開口２４に対向する位置に設けられたゴルフクラブヘッド３０が通過するサイズの第２の開口２７と有する本体部と、第２の開口を開閉可能な蓋部と、所定の閉鎖力により前記蓋部を閉鎖する手段とにより構成され、直線部材１０は、ゴルフクラブヘッドが貫通する管状部を有するものである。
【００２５】
以上、本発明の好適な実施の形態について説明したが、本発明は、当業者に自明な多くの変形、変更を行うことが可能である。
【符号の説明】
【００２６】
２： ゴルフクラブヘッドカバー装置
４： ゴルフバッグ（ゴルフクラブバッグ）
８： ゴルフクラブヘッドカバー（クラブヘッドカバーまたはヘッドカバー)
１０： 直線部材
１２： 先端部
１４： バックトップ片(back top panel)（蓋部を含む）
１６： 左サイド片
１８： 右サイド片
２０： 中央片
２２： ボトム片
２４： 開口（第１の開口）
２６： 下唇部
２７： 開口（第２の開口）
２８： 上唇部
３０： ゴルフクラブヘッド（クラブヘッド）
３２： 内面
【図１】
2016131893.tif 000003
【図２】
2016131893.tif 000004
【図３】
2016131893.tif 000005
【図４】
2016131893.tif 000006
【図５】
2016131893.tif 000007
【図６】
2016131893.tif 000008
【図７】
2016131893.tif 000009
【図８】
2016131893.tif 000010
【図９】
2016131893.tif 000011